【手続補正書】
【提出日】平成19年4月3日(2007.4.3)
【手続補正１】
【補正対象書類名】特許請求の範囲
【補正対象項目名】全文
【補正方法】変更
【補正の内容】
【特許請求の範囲】
【請求項１】
データを記憶する記憶手段と、
ユーザの生体情報を取得する取得手段と、
前記取得手段により取得された前記生体情報に基づき、対象者に対してデータを提供するか否かを判断する判断手段と、
前記判断手段によりデータを提供すると判断された場合、前記記憶手段から前記対象者に対して提供するデータを読み出す読み出し手段と、
前記読み出し手段により読み出された前記データを前記対象者に対して提供する提供手段と
を備える情報処理装置。
【請求項２】
前記判断手段は、前記取得手段により取得された前記生体情報から、前記ユーザが前記対象者と接しているか否かを判断し、前記ユーザが前記対象者と接していると判断されたとき、前記対象者に対してデータを提供するか否かをさらに判断する
請求項１に記載の情報処理装置。
【請求項３】
前記取得手段により取得された前記生体情報を用いて、前記ユーザの前記対象者に対する評価を表す評価値を算出する算出手段をさらに備え、
前記判断手段は、前記算出手段により算出された前記評価値が、閾値以上であるか、または、閾値以下であるかを判断することにより、前記対象者に対してデータを提供するか否かを判断する
請求項１に記載の情報処理装置。
【請求項４】
前記記憶手段は、前記評価値と、その評価値で提供する前記データを関連付けて記憶し、
前記読み出し手段は、前記算出手段により算出された前記評価値に関連付けられているデータを、前記記憶手段から読み出す
請求項３に記載の情報処理装置。
【請求項５】
前記対象者からのデータを受信する受信手段と、
前記対象者と関連付けられている前記評価値を判断し、その評価値に応じて前記受信手段により受信された前記データを分類する分類手段と
をさらに備える請求項３に記載の情報処理装置。
【請求項６】
前記閾値は、前記ユーザが、前記提供手段で前記データを提供するように指示を出したときに、その提供先として指示された対象者に関連付けられている評価値を基に設定される
請求項３に記載の情報処理装置。
【請求項７】
前記対象者を特定する特定手段と、
前記特定手段により特定された前記対象者が写っている画像を検索する検索手段と
をさらに備え、
前記読み出し手段は、前記検索手段により検索された前記画像のデータを読み出す
請求項１に記載の情報処理装置。
【請求項８】
データを記憶する記憶手段を少なくとも備える情報処理装置の情報処理方法において、
ユーザの生体情報を取得し、
取得された前記生体情報に基づき、対象者に対してデータを提供するか否かを判断し、
データを提供すると判断した場合、前記対象者に対して提供するデータを前記記憶手段から読み出し、
読み出された前記データを前記対象者に提供する
ステップを含む情報処理方法。
【請求項９】
データを記憶する記憶手段を少なくとも備える情報処理装置を制御するコンピュータのプログラムにおいて、
ユーザの生体情報を取得し、
取得された前記生体情報に基づき、対象者に対してデータを提供するか否かを判断し、
データを提供すると判断した場合、前記対象者に対して提供するデータを前記記憶手段から読み出し、
読み出された前記データを前記対象者に提供する
ステップを含むプログラム。
【請求項１０】
データを記憶する記憶手段と、
ユーザの生体情報を取得する取得手段と、
前記取得手段により取得された前記生体情報から、前記ユーザの対象者に対する評価を表す評価値を算出する算出手段と、
前記算出手段により算出された前記評価値と前記対象者を関連付けたテーブルを管理する管理手段と、
前記管理手段により管理されている前記テーブルのうち、所定の値より大きいまたは小さいの評価値が関連付けられている前記対象者のリストを作成する作成手段と、
前記記憶手段により記憶されている前記データが前記対象者に提供される際、前記作成手段により作成された前記リストもあわせて提供する提供手段と
を備える情報処理装置。
【請求項１１】
データを記憶する記憶手段と、そのデータを対象者に提供する提供手段を少なくとも備える情報処理装置の情報処理方法において、
ユーザの生体情報を取得し、
取得された前記生体情報から、前記ユーザの対象者に対する評価を表す評価値を算出し、
算出された前記評価値と前記対象者を関連付けたテーブルを管理し、
管理されている前記テーブルのうち、所定の値以上の評価値が関連付けられている前記対象者のリストを作成し、
前記記憶手段に記憶されている前記データが前記提供手段により前記対象者に提供される際、作成された前記リストもあわせて提供する
ステップを含む情報処理方法。
【請求項１２】
データを記憶する記憶手段と、そのデータを対象者に提供する提供手段を少なくとも備える情報処理装置を制御するコンピュータのプログラムであって、
ユーザの生体情報を取得し、
取得された前記生体情報から、前記ユーザの対象者に対する評価を表す評価値を算出し、
算出された前記評価値と前記対象者を関連付けたテーブルを管理し、
管理されている前記テーブルのうち、所定の値以上の評価値が関連付けられている前記対象者のリストを作成し、
前記記憶手段に記憶されている前記データが前記提供手段により前記対象者に提供される際、作成された前記リストもあわせて提供する
ステップを含むプログラム。
【手続補正２】
【補正対象書類名】明細書
【補正対象項目名】００１２
【補正方法】変更
【補正の内容】
【００１２】
本発明の第１の情報処理装置は、データを記憶する記憶手段と、ユーザの生体情報を取得する取得手段と、前記取得手段により取得された前記生体情報に基づき、対象者に対してデータを提供するか否かを判断する判断手段と、前記判断手段によりデータを提供すると判断された場合、前記記憶手段から前記対象者に対して提供するデータを読み出す読み出し手段と、前記読み出し手段により読み出された前記データを前記対象者に対して提供する提供手段とを備える。
【手続補正３】
【補正対象書類名】明細書
【補正対象項目名】００１６
【補正方法】変更
【補正の内容】
【００１６】
前記判断手段は、前記取得手段により取得された前記生体情報から、前記ユーザが前記対象者と接しているか否かを判断し、前記ユーザが前記対象者と接していると判断されたとき、前記対象者に対してデータを提供するか否かをさらに判断するようにすることができる。
前記取得手段により取得された前記生体情報を用いて、前記ユーザの前記対象者に対する評価を表す評価値を算出する算出手段をさらに備え、前記判断手段は、前記算出手段により算出された前記評価値が、閾値以上であるか、または、閾値以下であるかを判断することにより、前記対象者に対してデータを提供するか否かを判断するようにすることができる。
【手続補正４】
【補正対象書類名】明細書
【補正対象項目名】００１７
【補正方法】変更
【補正の内容】
【００１７】
前記記憶手段は、前記評価値と、その評価値で提供する前記データを関連付けて記憶し、前記読み出し手段は、前記算出手段により算出された前記評価値に関連付けられているデータを、前記記憶手段から読み出すようにすることができる。
【手続補正５】
【補正対象書類名】明細書
【補正対象項目名】００１８
【補正方法】変更
【補正の内容】
【００１８】
前記対象者からのデータを受信する受信手段と、前記対象者と関連付けられている前記評価値を判断し、その評価値に応じて前記受信手段により受信された前記データを分類する分類手段とをさらに備えるようにすることができる。
【手続補正６】
【補正対象書類名】明細書
【補正対象項目名】００１９
【補正方法】変更
【補正の内容】
【００１９】
前記閾値は、前記ユーザが、前記提供手段で前記データを提供するように指示を出したときに、その提供先として指示された対象者に関連付けられている評価値を基に設定されるようにすることができる。
【手続補正７】
【補正対象書類名】明細書
【補正対象項目名】００２０
【補正方法】変更
【補正の内容】
【００２０】
前記対象者を特定する特定手段と、前記特定手段により特定された前記対象者が写っている画像を検索する検索手段とをさらに備え、前記読み出し手段は、前記検索手段により検索された前記画像のデータを読み出すようにすることができる。
【手続補正８】
【補正対象書類名】明細書
【補正対象項目名】００２１
【補正方法】変更
【補正の内容】
【００２１】
本発明の第１の情報処理方法は、データを記憶する記憶手段を少なくとも備える情報処理装置の情報処理方法において、ユーザの生体情報を取得し、取得された前記生体情報に基づき、対象者に対してデータを提供するか否かを判断し、データを提供すると判断した場合、前記対象者に対して提供するデータを前記記憶手段から読み出し、読み出された前記データを前記対象者に提供するステップを含む。
【手続補正９】
【補正対象書類名】明細書
【補正対象項目名】００２２
【補正方法】変更
【補正の内容】
【００２２】
本発明の第１のプログラムは、データを記憶する記憶手段を少なくとも備える情報処理装置を制御するコンピュータのプログラムにおいて、ユーザの生体情報を取得し、取得された前記生体情報に基づき、対象者に対してデータを提供するか否かを判断し、データを提供すると判断した場合、前記対象者に対して提供するデータを前記記憶手段から読み出し、読み出された前記データを前記対象者に提供するステップを含むプログラム。
【手続補正１０】
【補正対象書類名】明細書
【補正対象項目名】００２３
【補正方法】変更
【補正の内容】
【００２３】
本発明の第２の情報処理装置は、データを記憶する記憶手段と、ユーザの生体情報を取得する取得手段と、前記取得手段により取得された前記生体情報から、前記ユーザの対象者に対する評価を表す評価値を算出する算出手段と、前記算出手段により算出された前記評価値と前記対象者を関連付けたテーブルを管理する管理手段と、前記管理手段により管理されている前記テーブルのうち、所定の値より大きいまたは小さいの評価値が関連付けられている前記対象者のリストを作成する作成手段と、前記記憶手段により記憶されている前記データが前記対象者に提供される際、前記作成手段により作成された前記リストもあわせて提供する提供手段とを備える。
【手続補正１１】
【補正対象書類名】明細書
【補正対象項目名】００２４
【補正方法】変更
【補正の内容】
【００２４】
本発明の第２の情報処理方法は、データを記憶する記憶手段と、そのデータを対象者に提供する提供手段を少なくとも備える情報処理装置の情報処理方法において、ユーザの生体情報を取得し、取得された前記生体情報から、前記ユーザの対象者に対する評価を表す評価値を算出し、算出された前記評価値と前記対象者を関連付けたテーブルを管理し、管理されている前記テーブルのうち、所定の値以上の評価値が関連付けられている前記対象者のリストを作成し、前記記憶手段に記憶されている前記データが前記提供手段により前記対象者に提供される際、作成された前記リストもあわせて提供するステップを含む。
【手続補正１２】
【補正対象書類名】明細書
【補正対象項目名】００２５
【補正方法】変更
【補正の内容】
【００２５】
本発明の第２のプログラムは、データを記憶する記憶手段と、そのデータを対象者に提供する提供手段を少なくとも備える情報処理装置を制御するコンピュータのプログラムであって、ユーザの生体情報を取得し、取得された前記生体情報から、前記ユーザの対象者に対する評価を表す評価値を算出し、算出された前記評価値と前記対象者を関連付けたテーブルを管理し、管理されている前記テーブルのうち、所定の値以上の評価値が関連付けられている前記対象者のリストを作成し、前記記憶手段に記憶されている前記データが前記提供手段により前記対象者に提供される際、作成された前記リストもあわせて提供するステップを含む。
【手続補正１３】
【補正対象書類名】明細書
【補正対象項目名】００２６
【補正方法】変更
【補正の内容】
【００２６】
本発明の第１の情報処理装置および方法、並びにプログラムにおいては、ユーザの生体情報に基づいてデータが選択され、その選択されたデータが提供される。
【手続補正１４】
【補正対象書類名】明細書
【補正対象項目名】００２７
【補正方法】変更
【補正の内容】
【００２７】
本発明の第２の情報処理装置および方法、並びにプログラムにおいては、対象者に対する評価が、ユーザの生体情報に基づき判断され、その判断結果は、対象者の情報と関連付けられて管理される。その管理されている情報のうち、評価値の高い対象者の情報のみから作成されたリストが、対象者に対してデータが提供される際、そのデータと共に提供される。
【手続補正１５】
【補正対象書類名】明細書
【補正対象項目名】００３５
【補正方法】変更
【補正の内容】
【００３５】
本発明の第１の情報処理装置は、例えば、図７の親機１１である。第１の情報処理装置は、データを記憶する記憶手段（例えば、図７の記憶部１４５）と、ユーザの生体情報を取得する取得手段（例えば、図７の受信部１４１）と、取得手段により取得された生体情報に基づき、対象者に対してデータを提供するか否かを判断する判断手段（例えば、図７の制御部４２）と、判断手段によりデータを提供すると判断された場合、記憶手段から対象者に対して提供するデータを読み出す読み出し手段（例えば、図７のデータ選択部１４６）と、読み出し手段により読み出されたデータを対象者に対して提供する提供手段（例えば、図７の送信部１４７）とを備える。
【手続補正１６】
【補正対象書類名】明細書
【補正対象項目名】００３９
【補正方法】変更
【補正の内容】
【００３９】
本発明の第２の情報処理装置は、例えば、図７の親機１１である。第２の情報処理装置は、データを記憶する記憶手段（例えば、図７の記憶部１４５）と、ユーザの生体情報を取得する取得手段（例えば、図７の受信部１４１）と、取得手段で取得された生体情報から、ユーザの対象者に対する評価を表す評価値を算出する算出手段（例えば、図７の評価値設定部１４４）と、算出手段により算出された評価値と対象者を関連付けたテーブルを管理する管理手段（例えば、図７の記憶部１４５）と、管理手段により管理されているテーブルのうち、所定の値以上の評価値が関連付けられている対象者のリストを作成する作成手段（例えば、図７の制御部１４２）と、記憶手段により記憶されているデータが対象者に提供される際、作成手段により作成されたリストもあわせて提供する提供手段（例えば、図７の送信部１４７）とを備える。